【手続補正書】
【提出日】平成17年11月14日(2005.11.14)
【手続補正１】
【補正対象書類名】明細書
【補正対象項目名】００１３
【補正方法】変更
【補正の内容】
【００１３】
また、本処理剤において、シリコーンゴム粉末を水中で安定性よく分散させるために界面活性剤を配合することが好ましい。このような界面活性剤としては、第一〜第三脂肪族アミン塩、アルキルトリメチルアンモニウム塩、ジアルキルジメチルアンモニウム塩、テトラアルキルアンモニウム塩、トリアルキルベンジルアンモニウム塩、アルキルピリジニウム塩、Ｎ，Ｎ−ジアルキルモルホリニウム塩、ポリエチレンポリアミン脂肪酸アミド塩等のカチオン系界面活性剤；脂肪酸塩、アルキルベンゼンスルホン酸塩、アルキルナフタレンスルホン酸塩、アルキルスルホン酸塩、α−オレフィンスルホン酸塩、ジアルキルスルホコハク酸塩、α−スルホン化脂肪酸塩、Ｎ−アシル−Ｎ−メチルタウレート、アルキル硫酸塩、硫酸化油脂、ポリオキシエチレンアルキルエーテル硫酸塩、ポリオキシエチレンアルキルフェニルエーテル硫酸塩、ポリオキシエチレンスチレン化フェニルエーテル硫酸塩、アルキルリン酸塩、ポリオキシエチレンアルキルエーテルリン酸塩、ポリオキシエチレンアルキルフェニルエーテルリン酸塩、ナフタレンスルホン酸塩ホルムアルデヒド縮合物等のアニオン系界面活性剤；Ｎ，Ｎ−ジメチル−Ｎ−アルキル−Ｎ−カルボキシメチルアンモニウムベタイン、Ｎ，Ｎ−ジアルキルアミノアルキレンカルボン酸塩、Ｎ，Ｎ，Ｎ−トリアルキル−Ｎ−スルホアルキレンアンモニウムベタイン、Ｎ，Ｎ−ジアルキル−Ｎ，Ｎ−ビスポリオキシエチレンアンモニウム硫酸エステルベタイン、２−アルキル−１−カルボキシメチル−１−ヒドロキシエチルイミダゾリニウムベタイン等の両イオン系界面活性剤；ポリオキシエチレンアルキルエーテル、ポリオキシエチレンアルケニルエーテル、ポリオキシエチレンアルキルフェニルエーテル、ポリオキシエチレンポリスチリルフェニルエーテル、ポリオキシエチレン・ポリオキシプロピレングリコール、ポリオキシエチレン・ポリオキシプロピレンアルキルエーテル、ソルビタン脂肪酸エステル、グリセリン脂肪酸エステル、デカグリセリン脂肪酸エステル、ポリグリセリン脂肪酸エステル、プロピレングリコール・ペンタエリスリトール脂肪酸エステル、プロピレングリコール・ペンタエリスリトール脂肪酸エステル等の多価アルコール脂肪酸部分エステル、ポリオキシエチレンソルビタン脂肪酸エステル、ポリオキシエチレングリセリン脂肪酸エステル等のポリオキシエチレン多価アルコール脂肪酸部分エステル、ポリオキシエチレン脂肪酸エステル、ポリグリセリン脂肪酸エステル、ポリオキシエチレン化ヒマシ油、脂肪酸ジエタノールアミド、ポリオキシエチレンアルキルアミン、トリエタノールアミン脂肪酸部分エステル、トリアルキルアミンオキサイド、ポリオキシアルキレン基含有オルガノポリシロキサン等の非イオン系界面活性剤、およびこれらの界面活性剤の二種以上の混合物が例示され、特に、シリコーンゴム組成物を水中に分散させた状態で硬化させて調製する場合には、非イオン系界面活性剤を用いることが好ましい。
【手続補正２】
【補正対象書類名】明細書
【補正対象項目名】００１９
【補正方法】変更
【補正の内容】
【００１９】
また、エポキシ基含有ポリジオルガノシロキサンは、例えば、一般式：
【化３】
2000154495.tif 000001
で示される。上式中のＲは同じか、または異なる炭素原子数１〜２０の一価炭化水素基であり、前記と同様の基が例示され、特に、少なくともメチル基であることが好ましい。また、上式中のＥは同じか、または異なるエポキシ基含有一価有機基であり、例えば、一般式：
【化４】
2000154495.tif 000002
で示される基、あるいは、一般式：
【化５】
2000154495.tif 000003
で示される基が挙げられる。上記のエポキシ基含有一価有機基において、式中のＱ'は二価有機基であり、例えば、メチレン基、エチレン基、プロピレン基、フェニレン基、クロルエチレン基、フルオロエチレン基等の置換もしくは非置換のアルキレン基；式：−ＣＨ2ＯＣＨ2ＣＨ2ＣＨ2−で示される基、式：−ＣＨ2ＣＨ2ＯＣＨ2ＣＨ2−で示される基、式：−ＣＨ2ＣＨ2ＯＣＨ(ＣＨ3)ＣＨ2−で示される基、式：−ＣＨ2ＯＣＨ2ＣＨ2ＯＣＨ2ＣＨ2−で示される基等のアルキレンオキシアルキレン基が挙げられる。また、上式中のＧは同じか、または異なる、水酸基、アルコキシ基、炭素原子数１〜２０の一価炭化水素基、またはエポキシ基含有一価有機基である。Ｇのアルコキシ基としては、メトキシ基、エトキシ基、プロポキシ基、ブトキシ基が例示され、Ｇの一価炭化水素基としては、前記Ｒと同様の基が例示され、Ｇのエポキシ基含有一価有機基としては、前記Ｅと同様の基が例示される。また、上式中のｘは０〜２,０００の整数であり、また、ｙは１〜２００の整数であるが、Ｇの少なくとも一方がエポキシ基含有一価有機基である場合には、ｙは０であってもよい。また、（ｘ＋ｙ）は少なくとも１０以上の整数であり、特に、１００〜２,０００の範囲内の整数であることが好ましい。これは、（ｘ＋ｙ）が１０未満の整数であるポリジオルガノシロキサンは、パルプ繊維素内部に吸着されてしまい、平滑性や柔軟性を付与する効果が乏しくなることがあるためである。このエポキシ基含有ポリジオルガノシロキサンにおいては、エポキシ基含有一価有機基が、その分子鎖側鎖に結合していても、また、その分子鎖末端に結合してもよく、またその両方に結合してもよい。
【手続補正３】
【補正対象書類名】明細書
【補正対象項目名】００２１
【補正方法】変更
【補正の内容】
【００２１】
また、ポリエーテル基含有ポリジオルガノシロキサンは、拭き取り紙に平滑性や柔軟性を付与するばかりでなく、シリコーンゴム粉末の水中での分散安定性を向上させることができる。このようなポリエーテル基含有ポリジオルガノシロキサンは、例えば、一般式：
【化７】
2000154495.tif 000004
で示される。上式中のＲは同じか、または異なる炭素原子数１〜２０の一価炭化水素基であり、前記と同様の基が例示され、特に、少なくともメチル基であることが好ましい。また、上式中のＲ3は水素原子、または炭素原子数１〜５の一価有機基であり、Ｒ3の一価有機基としては、メチル基、エチル基、プロピル基等のアルキル基；アセチル基、プロピオニル基等のアシル基が例示される。また、上式中のＱは二価炭化水素基であり、前記と同様の基が例示され、特に、プロピレン基であることが好ましく、さらには、エチレン基、プロピレン基であることが好ましい。また、上式中のＬ同じか、または異なる、水酸基、アルコキシ基、炭素原子数１〜２０の一価炭化水素基、または式：−Ｑ−Ｏ−(Ｃ2Ｈ4Ｏ)b(ＣdＨ2dＯ)c−Ｒ3で示されるポリエーテル基である。Ｌのアルコキシ基としては、メトキシ基、エトキシ基、プロポキシ基、ブトキシ基が例示され、Ｌの一価炭化水素基としては、前記Ｒと同様の基が例示される。また、上式中のｍは１以上の整数であり、ｎは１以上の整数であるが、Ｌの少なくとも一方が、式：−Ｑ−Ｏ−(Ｃ2Ｈ4Ｏ)b(ＣdＨ2dＯ)c−Ｒ3で示されるポリエーテル基である場合には、ｎは０であってもよい。また、(ｍ＋ｎ)は少なくとも１の整数である。また、上式中のｂ同じか、または異なる０〜５０の整数であり、また、ｃは同じか、または異なる０〜５０の整数であり、ｂおよびｃのいずれか一方は１〜５０の整数である。また、上式中のｄは同じか、または異なる３以上の整数であり、特に、３、または４であることが好ましい。また、式：Ｃ2Ｈ4Ｏで示されるオキシエチレン基と式：ＣdＨ2dＯで示されるオキシアルキレン基とはブロック重合していても、あるいはランダム重合していてもよい。このポリエーテル基含有ポリジオルガノシロキサン中のポリエーテル基の含有量は限定されないが、３０〜６０重量％の範囲内であることが好ましい。このポリエーテル基含有ポリジオルガノシロキサンにおいては、式：−Ｑ−Ｏ−(Ｃ2Ｈ4Ｏ)b(ＣdＨ2dＯ)c−Ｒ3で示されるポリエーテル基が、その分子鎖側鎖に結合していても、また、その分子鎖末端に結合してもよく、またその両方に結合してもよい。
【手続補正４】
【補正対象書類名】明細書
【補正対象項目名】００２２
【補正方法】変更
【補正の内容】
【００２２】
また、ポリジメチルシロキサンは、例えば、一般式：
【化８】
2000154495.tif 000005
で示される。上式中のＭは同じか、または異なる、水酸基、アルコキシ基、または炭素原子数１〜２０の一価炭化水素基である。Ｍのアルコキシ基としては、メトキシ基、エトキシ基、プロポキシ基、ブトキシ基が例示され、Ｍの一価炭化水素基としては、前記Ｒと同様の基が例示される。また、上式中のｍは１以上の整数である。